(57)【要約】      （修正有）【課題】汎用性を高めることができる植物苗育成具を提供する。【解決手段】植物苗育成具１０は、吸水スポンジからなり、上面１１に開口するとともに土付きの状態の植物苗２０を支持可能な支持孔１３を有する。植物苗育成具１０は、外周面１８から内周側に向かって延びるとともに上面１１から下面１２まで延びる外側スリット１４を有する。外側スリット１４は、互いに間隔をおいて複数設けられている。【選択図】図３
0003230504.tif 000002
【実用新案登録請求の範囲】
【請求項１】
吸水スポンジからなり、上面に開口するとともに土付きの状態の植物苗を支持可能な支持孔を有する植物苗育成具であって、
外周面から内周側に向かって延びるとともに前記上面から下面まで延びるスリットを有し、
前記スリットは、互いに間隔をおいて複数設けられている、
植物苗育成具。
【請求項２】
複数の前記スリットが、等間隔にて設けられている、
請求項１に記載の植物苗育成具。
【請求項３】
前記スリットの内周側の端に連なるとともに、前記上面から下面まで延びる貫通孔を有する、
請求項１または請求項２に記載の植物苗育成具。
【請求項４】
前記スリットを外側スリットとするとき、
前記支持孔の内周面から外周側に向かって延びる内側スリットを有し、
前記内側スリットは、前記周方向において互いに間隔をおいて複数設けられている、
請求項１〜請求項３のいずれか一項に記載の植物苗育成具。
【考案の詳細な説明】
【技術分野】
【０００１】
本考案は、植物苗育成具に関する。
【背景技術】
【０００２】
従来、植物苗育成具としては、ウレタンフォームなどの吸水スポンジからなり、上面に開口するとともに土付きの状態の植物苗を支持可能な支持孔を有するものが知られている（例えば特許文献１参照）。特許文献１に記載の植物苗育成具は、直方体形状である。
【先行技術文献】
【特許文献】
【０００３】
【特許文献１】実開昭４７−１９３５５号公報
【考案の概要】
【考案が解決しようとする課題】
【０００４】
ところで、土付きの状態の植物苗を支持した状態の植物苗育成具を、マグカップやプランターなどの大きさの異なる容器に収容して観賞することが考えられる。しかしながら、従来の植物苗育成具は、直方体形状などの所定の形状を有している。そのため、植物苗育成具をそれよりも小さい容器に収容することが難しく、汎用性において改善の余地がある。
【課題を解決するための手段】
【０００５】
上記課題を達成するための植物苗育成具は、吸水スポンジからなり、上面に開口するとともに土付きの状態の植物苗を支持可能な支持孔を有する植物苗育成具であって、外周面から内周側に向かって延びるとともに前記上面から下面まで延びるスリットを有し、前記スリットは、互いに間隔をおいて複数設けられている。
【０００６】
同構成によれば、植物苗育成具の上面に開口する支持孔に土付きの状態の植物苗を収容することで、同植物苗を支持することができる。そして、植物苗育成具に対して水やりなどをすることで、植物苗を育成することができる。
【０００７】
特に、上記構成によれば、植物苗育成具の外側部分を複数のスリットを利用してカットしやすくなる。これにより、植物苗育成具を大きさや形状の異なる複数の容器に収容しやすくなる。したがって、植物苗育成具の汎用性を高めることができる。
【０００８】
上記植物苗育成具において、複数の前記スリットが、等間隔にて設けられていることが好ましい。
同構成によれば、複数のスリットが分散して設けられるため、植物苗育成具をカットする際の形状の自由度が大きくなる。したがって、植物苗育成具の汎用性を一層高めることができる。
【０００９】
上記植物苗育成具において、前記スリットの内周側の端に連なるとともに、前記上面から下面まで延びる貫通孔を有することが好ましい。
同構成によれば、植物苗育成具の上面から下面まで延びる貫通孔を通じて水や空気を内部に供給することができる。
【００１０】
また、貫通孔がスリットの内周側の端に連なっているため、刃物などによって上記スリットを形成する際に貫通孔を同時に形成することができる。これにより、植物苗育成具を容易に製造することができる。
【００１１】
上記植物苗育成具において、前記スリットを外側スリットとするとき、前記支持孔の内周面から外周側に向かって延びる内側スリットを有し、前記内側スリットは、前記周方向において互いに間隔をおいて複数設けられていることが好ましい。
【００１２】
同構成によれば、植物苗の根が複数の内側スリットに入り込むようになる。これにより、植物苗を一層安定して支持することができるとともに、植物苗の育成を促すことができる。
【考案の効果】
【００１３】
本考案によれば、植物苗育成具の汎用性を高めることができる。
【図面の簡単な説明】
【００１４】
【図１】植物苗育成具の一実施形態を示す斜視図。
【図２】同実施形態の植物苗育成具の平面図。
【図３】（ａ）〜（ｃ）は、土付きの植物苗をポットから植物苗育成具に移し替える様子を順に示す斜視図。
【図４】変形例の植物苗育成具を示す斜視図。
【図５】同変形例の植物苗育成具を示す平面図。
【考案を実施するための形態】
【００１５】
以下、図１〜図３を参照して、一実施形態について説明する。
図１及び図２に示すように、植物苗育成具１０は、吸水スポンジからなり、上面１１に開口するとともに土付きの状態の植物苗２０（図３参照）を支持可能な支持孔１３を有する。吸水スポンジとしては、連続気泡のウレタンフォームが好ましい。
【００１６】
植物苗育成具１０は、例えば平面視正方形の略直方体形状である。上面１１の一辺は、８０ｍｍ〜１３０ｍｍであることが好ましい。植物苗育成具１０の高さは、８０ｍｍ〜１６０ｍｍであることが好ましい。
【００１７】
支持孔１３は、例えば円孔である。支持孔１３は、植物苗育成具１０を上下に貫通していることが好ましい。支持孔１３は、植物苗育成具１０の中心に設けられていることが好ましい。支持孔１３の直径は、３０ｍｍ〜８０ｍｍであることが好ましい。
【００１８】
植物苗育成具１０は、支持孔１３の内周面１７から外周側に向かって延びる内側スリット１６を有する。内側スリット１６は、互いに間隔をおいて複数（本実施形態では８つ）設けられている。内側スリット１６は、等間隔にて設けられていることが好ましい。内側スリット１６は、支持孔１３の中心軸線を中心に放射状に延びていることが好ましい。
【００１９】
植物苗育成具１０は、外周面１８から内周側に向かって延びるとともに上面１１から下面１２まで延びる外側スリット１４を有する。外側スリット１４は、互いに間隔をおいて複数設けられている。外側スリット１４は、等間隔にて設けられていることが好ましい。外側スリット１４は、植物苗育成具１０の平面視における４つの角に対応して４つ設けられている。外側スリット１４は、植物苗育成具１０の平面視における角から支持孔１３の中心軸線に向かって延びている。平面視における外側スリット１４の長さは、１０ｍｍ〜２０ｍｍであることが好ましい。
【００２０】
植物苗育成具１０は、外側スリット１４の内周側の端に連なるとともに、上面１１から下面１２まで延びる貫通孔１５を有する。貫通孔１５は、例えば円孔である。貫通孔１５の直径は、１ｍｍ〜３ｍｍであることが好ましい。
【００２１】
次に、本実施形態の作用について説明する。
図３（ａ）に示すように、植物苗２０は、土２１が付いた状態で育苗用のポット３０に収容されている。この状態の植物苗２０から、図３（ｂ）に示すように、ポット３０を外す。そして、図３（ｃ）に示すように、植物苗育成具１０の支持孔１３に土２１が付いた状態の植物苗２０を収容する。これにより、支持孔１３によって植物苗２０が支持される（以上、作用１）。
【００２２】
特に、本実施形態の植物苗育成具１０によれば、植物苗育成具１０の外側部分を複数の外側スリット１４を利用してカットしやすくなる。これにより、植物苗育成具１０を大きさや形状の異なる複数の容器に収容しやすくなる（以上、作用２）。
【００２３】
次に、本実施形態の効果について説明する。
（１）植物苗育成具１０は、吸水スポンジからなり、上面１１に開口するとともに土付きの状態の植物苗２０を支持可能な支持孔１３を有する。植物苗育成具１０は、外周面１８から内周側に向かって延びるとともに上面１１から下面１２まで延びる外側スリット１４を有する。外側スリット１４は、互いに間隔をおいて複数設けられている。
【００２４】
こうした構成によれば、上記作用１を奏することにより、植物苗育成具１０に対して水やりなどをすることで、植物苗２０を育成することができる。
特に、上記構成によれば、上記作用２を奏することにより、植物苗育成具１０の汎用性を高めることができる。
【００２５】
また、複数の外側スリット１４を有しているため、これら外側スリット１４を通じて植物苗育成具１０の内部の広い範囲に水が行き渡りやすくなる。これにより、植物苗育成具１０の吸水性を高めることができる。
【００２６】
（２）複数の外側スリット１４が、等間隔にて設けられている。
こうした構成によれば、複数の外側スリット１４が分散して設けられるため、植物苗育成具１０をカットする際の形状の自由度が大きくなる。したがって、植物苗育成具１０の汎用性を一層高めることができる。
【００２７】
（３）植物苗育成具１０は、外側スリット１４の内周側の端に連なるとともに、上面１１から下面１２まで延びる貫通孔１５を有する。
こうした構成によれば、植物苗育成具１０の上面１１から下面１２まで延びる貫通孔１５を通じて水や空気を内部に供給することができる。
【００２８】
また、貫通孔１５が外側スリット１４の内周側の端に連なっているため、刃物などによって上記スリットを形成する際に貫通孔１５を同時に形成することができる。これにより、植物苗育成具１０を容易に製造することができる。
【００２９】
（４）植物苗育成具１０は、支持孔１３の内周面１７から外周側に向かって延びる内側スリット１６を有する。内側スリット１６は、互いに間隔をおいて複数設けられている。
こうした構成によれば、植物苗２０の根が複数の内側スリット１６に入り込むようになる。これにより、植物苗２０を一層安定して支持することができるとともに、植物苗２０の育成を促すことができる。
【００３０】
＜変形例＞
・内側スリット１６の数は８つに限定されない。８つよりも少なくてもよいし、８つよりも多くてもよい。
【００３１】
・内側スリット１６を不等間隔にて設けることもできる。
・内側スリット１６を省略することもできる。
・貫通孔１５の形状は円孔に限定されず、角孔にすることもできる。
【００３２】
・貫通孔１５を省略することもできる。
・外側スリット１４の数は、４つに限定されず、２つや３つであってもよいし、５つ以上であってもよい。外側スリット１４を、植物苗育成具１０の平面視における角以外の部分に設けることもできる。
【００３３】
・外側スリット１４を、不等間隔にて設けることもできる。
・植物苗育成具１０は、直方体状に限定されず、円筒状であってもよい。この場合、例えば図４及び図５に示すように、外側スリット１４及び内側スリット１６は、植物苗育成具１０の周方向において等間隔にてそれぞれ８つ設けられている。また、外側スリット１４と内側スリット１６とは、植物苗育成具１０の周方向において交互に設けられている。
【００３４】
・支持孔１３は、円孔に限定されず、角孔にすることもできる。
・支持孔１３は、上面１１に開口するものであればよく、植物苗育成具１０を上下に貫通していない凹部として具体化することもできる。
【符号の説明】
【００３５】
１０…植物苗育成具
１１…上面
１２…下面
１３…支持孔
１４…外側スリット
１５…貫通孔
１６…内側スリット
１７…内周面
１８…外周面
２０…植物苗
２１…土
３０…ポット
【図１】
0003230504.tif 000003
【図２】
0003230504.tif 000004
【図３】
0003230504.tif 000005
【図４】
0003230504.tif 000006
【図５】
0003230504.tif 000007